【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
ａ．潤滑粘度の油と、
ｂ．チアジアゾールと、
ｃ．アゾール−アクリル付加物であって、
ｉ．前記付加物はアゾール化合物をアクリルと接触させることによって形成され、そして
ｉｉ．前記付加物は少なくとも１つのアシルを含む少なくとも１つの窒素−アルキル基を有する
アゾール−アクリル付加物と
を含む潤滑組成物。
【請求項２】
前記アクリルが、少なくとも１つの（メタ）アクリレート、（メタ）アクリル酸、（メタ）アクリルアミド、またはそれらの組合せを含む、請求項１に記載の潤滑組成物。
【請求項３】
前記アクリルが、少なくとも１つのアクリレート、アクリル酸、アクリルアミド、メタクリレート、メタクリル酸、メタクリルアミド、またはそれらの組合せを含む、請求項１または２に記載の潤滑組成物。
【請求項４】
前記アクリルが、式（Ｉ）：
【化１３】
2018523745.tif 000001
［式中、Ｒは、水素またはＣ１〜Ｃ２０ヒドロカルビル基であり、Ｒ１は、Ｃ１〜Ｃ２０ヒドロカルビル基である］
を有する（メタ）アクリレートである、請求項１から３のいずれかに記載の潤滑組成物。
【請求項５】
Ｒが、水素またはメチル基である、請求項３に記載の潤滑組成物。
【請求項６】
前記（メタ）アクリレートが、少なくとも１つのアクリレート、メタクリレート、またはそれらの組合せを含む、請求項２から５に記載の潤滑組成物。
【請求項７】
前記アクリルが、オクタデシルアクリレート、ヘキサデシルアクリレート、トリデシルアクリレート、ドデシルアクリレート、デシルアクリレート、２−プロピルヘプチルアクリレート、２−エチルヘキシルアクリレート、オクチルアクリレート、ヘキシルアクリレート、ブチルアクリレート、エチルアクリレート、メチルアクリレート、またはそれらの組合せの少なくとも１つを含む、請求項１から６のいずれかに記載の潤滑組成物。
【請求項８】
前記アクリルが、オクタデシルメタクリレート、ヘキサデシルメタクリレート、トリデシルメタクリレート、ドデシルメタクリレート、デシルメタクリレート、２−プロピルヘプチルメタクリレート、２−エチルヘキシルメタクリレート、オクチルアクリレート、ヘキシルメタクリレート、ブチルメタクリレート、エチルメタクリレート、メチルメタクリレート、またはそれらの組合せの少なくとも１つを含む、請求項１から６のいずれかに記載の潤滑組成物。
【請求項９】
前記アゾール化合物が、ベンゾトリアゾール、ベンゾトリアゾール誘導体、イミダゾール、イミダゾール誘導体、１，２，３−トリアゾール、１，２，３−トリアゾール誘導体、１，２，４−トリアゾール、１，２，４−トリアゾール誘導体、１，３，４−トリアゾール、１，３，４−トリアゾール誘導体、ベンゾイミダゾール、ベンゾイミダゾール誘導体、ピラゾール、ピラゾール誘導体、１，４，メチルベンゾトリアゾール、またはそれらの組合せの少なくとも１つを含む、請求項１から８のいずれかに記載の潤滑組成物。
【請求項１０】
前記チアジアゾールが、１，３，４−チアジアゾール，２，５−ビス（ｔｅｒｔ−ノニルジチオ）、２−（ヘプチルヒドロキシフェニルメチルチオ）−５−メルカプト−［１，３，４］−チアジアゾール、またはそれらの混合物を含む、請求項１から９のいずれかに記載の潤滑組成物。
【請求項１１】
少なくとも１種の摩擦調整剤をさらに含む、請求項１から１０のいずれかに記載の潤滑組成物。
【請求項１２】
前記潤滑組成物が前記潤滑組成物の合計重量に基づき、約３００ｐｐｍのリンを有するような量で存在するリン含有抗摩耗剤をさらに含む、請求項１から１１のいずれかに記載の潤滑組成物。
【請求項１３】
農業用トラクター、オフハイウェイ車両またはドライブトレインの構成要素を潤滑する方法であって、前記構成要素を、請求項１から１２のいずれかに記載の潤滑組成物と接触させるステップを含む、方法。
【請求項１４】
農業用トラクター、オフハイウェイ車両またはドライブトレインの構成要素における腐食を低減させるための、請求項１から１２のいずれかに記載の潤滑組成物におけるアゾール−アクリル付加物の使用。
【請求項１５】
農業用トラクター、オフハイウェイ車両またはドライブトレインの構成要素における腐食を低減させる方法であって、前記構成要素を、請求項１から１２のいずれかに記載の潤滑組成物と接触させるステップを含む、方法。
【手続補正２】
【補正対象書類名】明細書
【補正対象項目名】０１１９
【補正方法】変更
【補正の内容】
【０１１９】
本発明を例証する目的で、ある特定の代表的な実施形態および詳細を示してきたが、本発明の範囲を逸脱することなく、その中で種々の変更および改変が為され得ることが、当業者には明らかであろう。これに関して、本発明の範囲は、添付の特許請求の範囲によってのみ限定されるべきである。
一実施形態において、例えば、以下の項目が提供される。
（項目１）
ａ．潤滑粘度の油と、
ｂ．チアジアゾールと、
ｃ．アゾール−アクリル付加物であって、
ｉ．前記付加物はアゾール化合物をアクリルと接触させることによって形成され、そして
ｉｉ．前記付加物は少なくとも１つのアシルを含む少なくとも１つの窒素−アルキル基を有する
アゾール−アクリル付加物と
を含む潤滑組成物。
（項目２）
前記アクリルが、少なくとも１つの（メタ）アクリレート、（メタ）アクリル酸、（メタ）アクリルアミド、またはそれらの組合せを含む、項目１に記載の潤滑組成物。
（項目３）
前記アクリルが、少なくとも１つのアクリレート、アクリル酸、アクリルアミド、メタクリレート、メタクリル酸、メタクリルアミド、またはそれらの組合せを含む、項目１または２に記載の潤滑組成物。
（項目４）
前記アクリルが、式（Ｉ）：
【化１３】
2018523745.tif 000002
［式中、Ｒは、水素またはＣ１〜Ｃ２０ヒドロカルビル基であり、Ｒ１は、Ｃ１〜Ｃ２０ヒドロカルビル基である］
を有する（メタ）アクリレートである、項目１から３のいずれかに記載の潤滑組成物。
（項目５）
Ｒが、水素またはメチル基である、項目３に記載の潤滑組成物。
（項目６）
前記（メタ）アクリレートが、少なくとも１つのアクリレート、メタクリレート、またはそれらの組合せを含む、項目２から５に記載の潤滑組成物。
（項目７）
前記アクリルが、オクタデシルアクリレート、ヘキサデシルアクリレート、トリデシルアクリレート、ドデシルアクリレート、デシルアクリレート、２−プロピルヘプチルアクリレート、２−エチルヘキシルアクリレート、オクチルアクリレート、ヘキシルアクリレート、ブチルアクリレート、エチルアクリレート、メチルアクリレート、またはそれらの組合せの少なくとも１つを含む、項目１から６のいずれかに記載の潤滑組成物。
（項目８）
前記アクリルが、オクタデシルメタクリレート、ヘキサデシルメタクリレート、トリデシルメタクリレート、ドデシルメタクリレート、デシルメタクリレート、２−プロピルヘプチルメタクリレート、２−エチルヘキシルメタクリレート、オクチルアクリレート、ヘキシルメタクリレート、ブチルメタクリレート、エチルメタクリレート、メチルメタクリレート、またはそれらの組合せの少なくとも１つを含む、項目１から６のいずれかに記載の潤滑組成物。
（項目９）
前記アゾール化合物が、ベンゾトリアゾール、ベンゾトリアゾール誘導体、イミダゾール、イミダゾール誘導体、１，２，３−トリアゾール、１，２，３−トリアゾール誘導体、１，２，４−トリアゾール、１，２，４−トリアゾール誘導体、１，３，４−トリアゾール、１，３，４−トリアゾール誘導体、ベンゾイミダゾール、ベンゾイミダゾール誘導体、ピラゾール、ピラゾール誘導体、１，４，メチルベンゾトリアゾール、またはそれらの組合せの少なくとも１つを含む、項目１から８のいずれかに記載の潤滑組成物。
（項目１０）
前記アゾール−アクリル付加物が、式（ＩＩ）または（ＩＩＩ）：
【化１４】
2018523745.tif 000003
［式中、Ｒ２およびＲ３は、独立して、水素またはＣ１〜Ｃ２０ヒドロカルビル基であるか、あるいはＲ２およびＲ３は一緒になって、５から６個の炭素原子を含有する飽和または不飽和環を形成し；Ｒ４は、少なくとも１つのアシルを含むＣ２〜Ｃ４０ヒドロカルビル基であり、ここで、前記ヒドロカルビル基は、直鎖状、分枝鎖状、同素環式もしくは複素環式、またはそれらの組合せであり；Ｘ１は、ＮまたはＣであり；Ｘ２およびＸ３は、独立して、ＮまたはＣ−Ｒ５であり、ここで、Ｒ５は、水素、または１から１２個の炭素原子を含有するＣ１〜Ｃ１２ヒドロカルビル基である］
によって表される、項目１から９のいずれかに記載の潤滑組成物。
（項目１１）
Ｘ１、Ｘ２およびＸ３の少なくとも２つが、Ｎである、項目１０に記載のアゾール−アクリル付加物。
（項目１２）
前記アゾール−アクリル付加物が、式（ＶＩ）：
【化１５】
2018523745.tif 000004
［式中、Ｒ６は、水素またはＣ１〜Ｃ２０ヒドロカルビル基であり；Ｒ７は、窒素原子に結合しており、直鎖状Ｃ２〜Ｃ２０ヒドロカルビル基であり；Ｒ８は、Ｃ１〜Ｃ２０ヒドロカルビル基であり、直鎖状、分枝鎖状、同素環式、複素環式、またはそれらの組合せである］
を有する、項目１から１１のいずれかに記載の潤滑組成物。
（項目１３）
前記アゾール−アクリル付加物が、式（ＶＩＩ）、（ＶＩＩＩ）、（ＩＸ）、（Ｘ）、（ＸＩ）または（ＸＩＩ）：
【化１６】
2018523745.tif 000005
［式中、Ｒ６は、水素またはＣ１〜Ｃ２０ヒドロカルビル基である］
を有する少なくとも１種の付加物を含む、項目１から１２のいずれかに記載の潤滑組成物。
（項目１４）
前記チアジアゾールが、１，３，４−チアジアゾール，２，５−ビス（ｔｅｒｔ−ノニルジチオ）、２−（ヘプチルヒドロキシフェニルメチルチオ）−５−メルカプト−［１，３，４］−チアジアゾール、またはそれらの混合物を含む、項目１から１３のいずれかに記載の潤滑組成物。
（項目１５）
少なくとも１種の摩擦調整剤をさらに含む、項目１から１４のいずれかに記載の潤滑組成物。
（項目１６）
前記摩擦調整剤が、脂肪酸の金属塩、脂肪イミダゾリン、アルキルサリチレートの金属塩、スルホネートの金属塩、またはそれらの組合せを含む、項目１５に記載の潤滑組成物。
（項目１７）
前記潤滑組成物が前記潤滑組成物の合計重量に基づき、約３００ｐｐｍのリンを有するような量で存在するリン含有抗摩耗剤をさらに含む、項目１から１６のいずれかに記載の潤滑組成物。
（項目１８）
前記潤滑組成物の合計重量に基づき、０．０１ｗｔ％から２ｗｔ％の前記アゾール−アクリル付加物を含む、項目１から１７のいずれかに記載の潤滑組成物。
（項目１９）
前記潤滑組成物の合計重量に基づき、０．０１ｗｔ％から１ｗｔ％の前記チアジアゾールを含む、項目１から１８のいずれかに記載の潤滑組成物。
（項目２０）
農業用トラクター、オフハイウェイ車両またはドライブトレインの構成要素を潤滑する方法であって、前記構成要素を、項目１から１９のいずれかに記載の潤滑組成物と接触させるステップを含む、方法。
（項目２１）
農業用トラクター、オフハイウェイ車両またはドライブトレインの構成要素における腐食を低減させるための、項目１から１９のいずれかに記載の潤滑組成物におけるアゾール−アクリル付加物の使用。
（項目２２）
農業用トラクター、オフハイウェイ車両またはドライブトレインの構成要素における腐食を低減させる方法であって、前記構成要素を、項目１から１９のいずれかに記載の潤滑組成物と接触させるステップを含む、方法。
（項目２３）
前記構成要素が、トランスミッション、マニュアルトランスミッション、ギア、ギアボックス、車軸ギア、オートマチックトランスミッション、デュアルクラッチトランスミッション、またはそれらの組合せの少なくとも１つを含む、ドライブトレイン構成要素である、項目２２に記載の方法。
（項目２４）
前記トランスミッションが、オートマチックトランスミッションまたはデュアルクラッチトランスミッションである、項目２２または２３に記載の方法。
（項目２５）
前記トランスミッションが、マニュアルトランスミッションまたはギアである、項目２２または２３に記載の方法。
（項目２６）
前記構成要素が、湿式ブレーキ、トランスミッション、油圧、ファイナルドライブ、パワーテイクオフシステム、またはそれらの組合せの少なくとも１つを含む農業用トラクターまたはオフハイウェイ車両構成要素である、項目２２に記載の方法。